(57)【要約】パーソナルビデオレコーダにおいて、通常の鑑賞中にチャンネル変更による遅延を生じさせることなく、トリックモード機能を実行する方法及びシステムである。上記方法は、ビデオソース信号を記録する（２０２）ステップと、これと同時に、上記記録ステップ（２０２）に関連するバッファリング遅延を生じさせることなく、ビデオソース信号を表示装置にバイパスする（２０４）ステップとを含む。トリックモード操作中、上記バイパスステップを自動的に終了させ、ビデオソース信号の記録バージョンを表示装置に代わりに供給（２０８）、送信しても良い。上記バイパスステップは、ユーザによる別のビデオソース信号チャンネルの選択に応じて、バッファリング遅延無しで、別のビデオソース信号を供給するステップ（２３０）をさらに含み得る。トリックモード命令の受信を認識した旨を通知するユーザ通知を生成しても良い（２１０）。ビデオソース信号の記録バージョンを代わりに供給するステップが完了したときに、ユーザ通知を終了させても良い。
2005524299.tif 000002
【特許請求の範囲】
【請求項１】
チャンネル変更の待機時間が無いパーソナルビデオレコーダにおけるトリックモード操作方法であって、
ビデオソース信号を記録するステップ（２０２）と、
前記ビデオソース信号を、前記記録の開始と同時に表示装置（１１６）にバイパスするステップ（２０４）と、
前記バイパスをトリックモード要求（２０６）に応じて終了し、前記表示装置に対して前記ビデオソース信号の記録バージョンを供給するステップ（２０８）と、
前記トリックモード要求内容を前記記録ビデオソース信号を用いて実行するステップ（２１２）と
を含むことを特徴とする方法。
【請求項２】
請求項１記載の方法であって、前記バイパスステップは、
別のビデオソース信号チャンネルが選択されたときに、当該別のビデオソース信号チャンネルの選択を前記表示装置（１１６）に表示し、当該表示からほとんど遅延すること無く、前記表示装置（１１６）に前記別のビデオソース信号を供給するステップ（２３０）
をさらに含むことを特徴とする方法。
【請求項３】
請求項１記載の方法であって、
トリックモード要求を認識した旨をオンスクリーンディスプレイメッセージで知らせるステップ（２１０）
をさらに含むことを特徴とする方法。
【請求項４】
請求項３記載の方法であって、
前記ビデオソース信号の前記記録バージョンを前記表示装置に供給する前記ステップ（２０８）が完了したときに、前記オンスクリーンディスプレイメッセージを終了するステプ
をさらに含むことを特徴とする方法。
【請求項５】
請求項１記載の方法であって、前記記録ステップ（２０２）は、
別のビデオソース信号チャンネルの選択をインターラプトなしで記録するステップ
をさらに含むことを特徴とする方法。
【請求項６】
請求項５記載の方法であって、前記記録ステップ（２０２）は、
前記別のビデオソース信号チャンネルの選択を、先のビデオソース信号記録を消去することなく記録するステップ（２１８）
をさらに含むことを特徴とする方法。
【請求項７】
請求項１記載の方法であって、
前記ビデオソース信号の前記記録バージョンの再生を、前記ビデオソース信号の最も最近記録した部分まで進めることで、前記トリックモードから前記ビデオソース信号に移行するステップ（２２４）と、
前記ビデオソース信号の前記記録バージョンの代わりに、前記ビデオソース信号を、前記記録ステップに関連したバッファリング遅延無しで、前記表示装置（１１６）に供給するステップ（２０４）と
をさらに含むことを特徴とする方法。
【請求項８】
請求項１記載の方法であって、
前記ビデオソース信号の前記記録バージョンの代わりに、前記ビデオソース信号を、前記記録ステップに関連したバッファリング遅延無しで、前記表示装置（１１６）に供給することで、前記トリックモードから前記ビデオソース信号へ移行するステップと、
前記ビデオソース信号の前記記録バージョンの代わりに、前記ビデオソース信号が供給される旨の通知を生成するステップ（２２６）と
をさらに含むことを特徴とする方法。
【請求項９】
トリックモード機能を備えたパーソナルビデオレコーダ（１００）であって、
ビデオソース信号を記録及び再生するデータストレージ装置（１０６）と、
前記データストレージ装置（１０６）が前記ビデオソース信号を記録するのと同時に、前記ビデオソース信号の記録中、データストレージ装置（１０６）に関連したバッファリング遅延無しで、前記ビデオソース信号を表示装置（１１６）に供給するバッファバイパススイッチ（１１２）とを有し、
トリックモード要求（２０６）に応じて、前記バッファバイパススイッチ（１１２）が前記ビデオソース信号の前記表示装置（１１６）への供給を終了させ、前記ビデオソース信号の記録バージョンを代わりに供給（２０８）することを特徴とするパーソナルビデオレコーダ。
【請求項１０】
請求項９記載のシステムであって、
ユーザによる別のビデオソース信号チャンネルの選択に応じて、前記データストレージ装置（１０６）と前記表示装置（１１６）とに対して、バッファリング遅延をほとんど生じさせることなく、別のビデオソース信号の供給を行うチューナ（１０２）
をさらに有することを特徴とするシステム。
【請求項１１】
請求項９記載のシステムであって、
トリックモード要求（２１０）の通知を生成する手段
をさらに有することを特徴とするシステム。
【請求項１２】
請求項１１記載のシステムであって、
前記表示装置（１１６）に対する、前記ビデオソース信号の前記記録バージョンの供給が完了したときに、前記通知を終了させる手段
をさらに有することを特徴とするシステム。
【請求項１３】
請求項９記載のシステムであって、前記データストレージ装置（１０６）は、別のビデオソース信号チャンネルの選択に対応する別のビデオソース信号をインターラプト無しで記録することを特徴とするシステム。
【請求項１４】
請求項１３記載のシステムであって、前記データストレージ装置（１０６）は、前記別のビデオソース信号を、先に記録されたビデオソース信号記録を消去することなく記録することを特徴とするシステム。
【請求項１５】
請求項９記載のシステムであって、
前記ビデオソース信号の前記記録バージョンの再生を、前記ビデオソース信号の最も最近記録された部分まで進める手段（１１４）と、
前記ビデオソース信号の前記記録バージョンを再生する代わりに、前記ビデオソース信号を、前記記録に関連するバッファリング遅延をほとんど生じさせることなく、前記表示装置（１１６）に供給する手段（１１２）と
をさらに有することを特徴とするシステム。
【請求項１６】
請求項９記載のシステムであって、
前記ビデオソース信号の前記記録バージョンの再生を、前記ビデオソース信号の最も最近記録された部分まで進める手段（１１４）と、
前記ビデオソース信号の前記記録バージョンを再生する代わりに、前記ビデオソース信号が供給されつつある旨の通知を生成する手段（１１０）と、
をさらに有することを特徴とするシステム。
【発明の詳細な説明】
【技術分野】
【０００１】
本発明は、デジタルビデオ記録に関し、特にパーソナルビデオレコーダのトリックモードに関する。
【背景技術】
【０００２】
パーソナルビデオレコーダ（ＰＶＲ）により、ユーザは放送マルチメディアを後で鑑賞することができ、さらに、放送が継続している間も遅れて鑑賞することができる。放送マルチメディアの記憶媒体への記録を開始後、ユーザは当該マルチメディアの記録部分の再生を開始することができる。ユーザが望めば、マルチメディアの表示を一時停止する一方で、当該マルチメディアの残りの部分の記録を続行することができる。その後、ユーザは、一時停止した部分から、又は記録部分の任意の部分からマルチメディアの再生を再開することができる。さらに、ユーザは、記録したマテリアルに対して、早送り、巻き戻し、スローモーション、ファーストモーション等、他のトリックモードを行うこともできる。
【０００３】
現在市販されているパーソナルビデオレコーダは、ユーザがブロードキャストプレゼンテーションに対してトリックモードを実行できるようにすることで、さらなる利便性を提供しているが、ＰＶＲのライブプレゼンテーションは遅延する。パーソナルビデオレコーダは、ビデオ信号を表示装置に供給する前に、ＭＰＥＧエンコーダ、データ記憶装置、ＭＰＥＧデコーダを介して放送ソースから得たビデオ信号をバッファする。上記バッファリングステップによって、実際のリアルタイムの放送と表示されるプレゼンテーションとの間にかなりの遅延時間が生じてしまう。こうした遅延時間は、チャンネルを変更する際に特に不便となる。チャンネルが変更されると、新たなチャンネルからのソース信号が上記バッファリングステップを通じて処理されるまで、ユーザは変更が表示されるのを確認することができない。場合によっては、上記処理に数秒間を要する。さらに、チャンネル変更中の遅延時間は均一ではないことがあり得る。例えば、アナログチャンネルとデジタルチャンネルの両方を提供するケーブルテレビシステムにおいては、通常、ＰＶＲで非均一なバッファ遅延が生じ得る。アナログビデオソース信号は、記憶前に、例えばＭＰＥＧ圧縮を利用して符号化する必要がある一方、送信前にＭＰＥＧ圧縮される放送デジタルビデオ信号については、そのような遅延は生じないからである。このため、ＰＶＲを組み込んだシステムにおいてチャンネルを変更するのは、不便かつ苛立たしいものとなり得る。さらに、新たなチャンネルのコンテンツの表示が遅延するため、チャンネルを素早く次々と変更することは多分に困難となる。
【発明の開示】
【課題を解決するための手段】
【０００４】
本発明は、通常の鑑賞中のチャンネル変更による遅延の発生を回避しつつ、パーソナルビデオレコーダのトリックモード機能を実行する方法及びシステムを提供する。上記方法は、ビデオソース信号を記録するステップと、前記記録ステップに関連するバッファリング遅延を生じさせることなく、前記記録ステップと同時に、前記ビデオソース信号を表示装置にバイパスするステップとを含む。ユーザのトリックモード要求に応じて、前記バイパスステップを自動的に終了させ、前記ビデオソース信号の記録バージョン（記録版）への置換を行い、表示装置に送信ことができる。また、トリックモードは、記録したビデオソース信号を用いて実行することができる。
【０００５】
上記バイパスステップは、ユーザによる別のビデオソース信号チャンネルの選択に応じて、表示装置に対する別のビデオソース信号の供給をバッファリング遅延無しで行うステップをさらに含み得る。また、ユーザのトリックモード要求を受信した場合、トリックモード命令の受信を認識した旨を知らせるのにユーザ通知を生成するステップを実行しても良い。表示装置に対する、ビデオソース信号の記録バージョンへの置換が完了したときに、ユーザ通知を終了させても良い。
【０００６】
上記記録ステップは、ユーザによる別のビデオソース信号チャンネルの選択に応じて、別のビデオソース信号をインターラプト無しで記録するステップをさらに含み得る。また、別のビデオソース信号を、先に記録されたビデオソース信号を消去することなく記録しても良い。トリックモード操作は、先に記録されたビデオソース信号を、ビデオソース信号の最も最近記録された部分まで進めて、表示装置に対して記録バージョンからビデオソース信号への置換を行うことで、ビデオソース信号からの再生に移行させても良い。
【発明を実施するための最良の形態】
【０００７】
図１は、チャンネル変更中の放送マルチメディアプログラミングの「ライブ」プレゼンテーション、又は名目上の同時プレゼンテーションのための、選択的な記憶バイパスを組み込んだパーソナルビデオレコーダ（ＰＶＲ）１００のブロック図である。選択的な記憶バイパスによって、通常の鑑賞中にチャンネル変更による遅延を発生させることなく、ＰＶＲ１００でトリックモード機能を実行することが可能になる。本明細書においては、トリックモード処理には、停止、一時停止、早送り、巻き戻し、スロー再生、高速再生、バッファ再生が含まれるものとする。
【０００８】
パーソナルビデオレコーダ１００は、チューナ１０２を含む。チューナ１０２は、特定の放送チャンネルに選択的に同調し、マルチメディアコンテンツを含んだ一又はそれ以上の放送ソース信号を受信することができる。例えば、チューナ１０２は、ケーブルテレビサービス、衛星テレビサービス、従来からの地上波放送や他の任意のタイプのマルチメディア放送から受信したチャンネルを選択することができる。本明細書においては、マルチメディアという語には、オーディオデータ、ビデオ画像データ、グラフィカルデータやこれらの組み合わせが含まれ得るものとする。放送マルチメディアとは、一つのソース位置から、一又はそれ以上の受信機位置に伝搬されるマルチメディアをいう。例えば、ビデオ画像、オーディオ信号、及び、テキスト／グラフィック画像を表すデータの少なくとも一つを含むテレビ番組などである。
【０００９】
チューナ１０２は、放送ソース信号を、当該放送ソース信号に含まれているマルチメディアコンテンツを表すデジタルマルチメディアデータストリーム（ビデオ、オーディオ等のソース信号）に変換する電子回路を内蔵することができる。例えば、チューナ１０２は、周波数変調した放送ソース信号を受信したり、放送ソース信号に対して復調、ダウンコンバート、アナログ／デジタル変換を行ったりすることができる。別の実施形態によれば、チューナ１０２は、既にデジタルフォーマットになっている放送ソース信号を受信し、ソース信号を選択的に選択することができる。本明細書においては、ビデオソース信号という語は、オーディオデータ、ビデオデータ、又はこれらの任意の組み合わせを含んだソース信号を指すものとする。
【００１０】
パーソナルビデオレコーダ１００はまた、マルチメディア圧縮器を含み得る。マルチメディア圧縮器１０４は、本発明の動作に必ずしも必要というわけではないが、マルチメディア圧縮器１０４を組み込むと有利である。マルチメディア圧縮器１０４は、ビデオソース信号１２０ａに対してマルチメディア圧縮を行って、圧縮したビデオソース信号１２０ｂを格納するのに必要な格納スペースを削減することができる。このようなマルチメディア圧縮フォーマットの一つにＭＰＥＧ−２がある。他のマルチメディア圧縮フォーマットには、ＭＰＥＧ−１やＭＰＥＧ−４がある。なお、マルチメディアの圧縮フォーマットは時間と共に変化するものであり、本発明はこの点に関して限定されるものではない。
【００１１】
データストレージ１０６は、ビデオソース信号をバッファ又は格納するために、ＰＶＲ１００に含まれ得る。データストレージ１０６は、データを格納する任意のデータストレージ装置であって良い。例えば、データストレージ１０６は、電子記憶媒体、磁気記憶媒体、光記憶媒体、又は光磁気記憶媒体であっても良い。一実施形態によれば、データストレージ１０６はハードディスクドライブであっても良い。しかし、本発明はこの点に関して限定されるものではなく、他のストレージ装置を用いることもできる。実際には、データストレージ１０６をマルチメディア圧縮器１０４からのビデオソース信号を受信するように配置しても良い。別の実施形態によれば、データストレージは、チューナ１０２から未圧縮のデータを受け取っても良い。
【００１２】
パーソナルビデオレコーダ１００はまた、マルチメディア伸張器１０８を含み得る。マルチメディア伸張器１０８は、圧縮器１０４の処理について原則的に補完的な処理を行い、データストレージの出力信号１２０ｃから、表示可能な未圧縮ビデオ信号１２０ｄを生成する。マルチメディア伸張器１０８は、データストレージ１０６から圧縮ビデオソース信号を受け取ることができる。特に、マルチメディア伸張器１０８は、例えばコーダ／デコーダ（ＣＯＤＥＣ）のかたちで、マルチメディア圧縮器１０４と同じ電子ユニットとして実現しても良い。しかし、マルチメディア圧縮器１０４は、ＰＶＲとは別個のものであっても良い。例えば、一実施形態によれば、ＰＶＲ１００から圧縮ビデオソース信号を受信でき、表示用に未圧縮出力信号を供給できる統合受信器側デコーダ（ＩＲＤ：ｉｎｔｅｇｒａｔｅｄ  ｒｅｃｅｉｖｅｒ  ｄｅｃｏｄｅｒ）等の装置にマルチメディア伸張器を組み込んでも良い。
【００１３】
マルチメディアプロセッサ１１０は、マルチメディア伸張器１０８からビデオソース信号を受け取り、ビデオソース信号に対してトリックモード処理を行うことができる。また、マルチメディアプロセッサ１１０は、他のビデオ処理を行うことができる。例えば、マルチメディアプロセッサは、ビデオソース信号をディスプレイ１１６上でのプレゼンテーション用にフォーマットすることができる。一実施形態によれば、マルチメディアプロセッサ１１０、マルチメディア伸張器１０８、及びマルチメディア圧縮器１０４を単一の処理装置として導入することもできる。
【００１４】
パーソナルビデオレコーダ１００はまた、バッファバイパススイッチ１１２を含み得る。バッファバイパススイッチは、無線周波数ＲＦスイッチング装置、中間周波数ＩＦスイッチング処理、ベースバンド信号スイッチ、又は、二つのビデオソースの代表信号を選択する他の任意の装置として導入し得る。図１に示すように、バッファバイパススイッチ１１２は、データストレージ１０６の前段で信号パス１２０ａとの接続を確立して、入力ビデオ信号のライブプレゼンテーション又はリアルタイムプレゼンテーションを提供するように配置しても良い。また、バッファバイパススイッチ１１２は、記録したビデオソース信号の鑑賞を可能とすべく、データストレージ１０６の後段でマルチメディア信号パス１２０ｄ／１０２ｅと交互に接続しても良い。図１に示す配置は、バッファバイパススイッチ１１２によって未圧縮マルチメディア信号パス１２０への接続がマルチメディアプロセッサの前段と後段とで提供される構成において、ビデオソース信号が未圧縮で、単一のマルチメディアプロセッサがビデオソース信号の圧縮、伸張、及び処理を制御することを仮定している。しかし、図１に示す配置は、例えば、圧縮や未圧縮等、入力として選択されたビデオソース信号のタイプに基づいて再構成可能である。圧縮信号が入力される場合、マルチメディア圧縮器１０４は不要となり、当該信号は有意な処理なしでストレージ１０６に書き込まれる。
【００１５】
プロセッサ１１４は、ＰＶＲ１００の他の構成要素とシステムバス１２２を介して通信し得る。例えば、ユーザからのチャンネル変更命令をリモートコントロールユニット１１８と受信器１１３とを介して受信した場合、プロセッサ１１４は、バッファバイパススイッチ１１２に、圧縮／伸張及びデータストレージ１０６をバイパスして、チューナからのライブビデオソース信号をディスプレイ１１６に供給するよう通知することができる。プロセッサ１１４はまた、例えばトリックモード命令が受信された場合、バッファバイパススイッチを制御して、先に記録及び処理された、格納されているビデオソース信号を表示するよう接続しても良い。
【００１６】
リモートコントロールユニット１１８は、ユーザインタフェースとしてＰＶＲ１００と共に用いても良い。リモートコントローラ１１８は、ユーザ命令を受信器１１３を介して入力するのに用いることができる。受信器１１３は、制御命令のデコード用に制御データをプロセッサ１１４に供給する。例えば、リモートコントローラ１１８は、チャンネル選択、ビデオ及びオーディオ用のトリックモード動作、オン／オフ機能、データの入力、他のユーザによって選択可能な命令やデータの入力に用いることができる。ディスプレイ１１６は、ＰＶＲ１００の出力端子に接続して、マルチメディアプレゼンテーションと制御メニューの両方をオンスクリーンディスプレイで見られるようにしても良い。ディスプレイ１１６は、ビデオモニタディスプレイ、テレビ受信機、コンピュータディスプレイ、又は他の任意のマルチメディア性能を備えた装置であっても良い。
【００１７】
図２は、チャンネル変更中にパーソナルビデオレコーダの記憶装置を選択的にバイパスする方法を示すフローチャート２００である。ステップ２０２で、マルチメディアソース信号の記録を開始し、処理の間中、継続することができる。デフォルトの状態では、バッファバイパススイッチ１１２が、ビデオソース信号をチューナ１０２から直接ディスプレイ１１６に供給して、リアルタイムのモニタリングを行うよう設定される。これによって、ステップ２０４に示すように、バッファ遅延なしでディスプレイ１１６上でライブのマルチメディア放送を鑑賞することができる。あるいは、バイパススイッチは、バッファリング後に、ディスプレイ１１６にデータストレージ１０６からの格納ビデオソース信号を供給しても良い。データストレージ１０６から取り出されるビデオソース信号には、コンプレッサ１０４、データストレージ１０６及び伸張器１０８でのバッファリング処理に関連した遅延が生じ得る。
【００１８】
判断ブロック２０６とステップ２０８とを参照すると、ユーザはリモートコントロールユニット１１８を介してＰＶＲのトリックモード機能を要求することができる。ＰＶＲのトリックモード要求は、リモートコントロール１１８から受信器１１３で受信することができる。上記要求はプロセッサ１１４に転送されて要求が実行される。プロセッサは、バッファバイパススイッチ１１２に、マルチメディアプロセッサ１１０により供給されるビデオソース信号１２０ｅを選択するように通知して、ライブのリアルタイムビデオソース信号１２０ａを、記録したビデオソース信号へと置換することができる。次に、ステップ２１０に示すように、トリックモード要求を認識した旨を示すユーザ通知が生成され得る。例えば、マルチメディアプロセッサ１１０は、オンスクリーン通知を生成して、ディスプレイに接続された信号１２０ｅに挿入することができる。次に、ステップ２１２と判断ブロック２１４に示すように、ＰＶＲ１００によるトリックモード再生がその完了まで実行される。例えば、ユーザが通常の再生速度での鑑賞を選択、又は、ソース信号のリアルタイム鑑賞を選択して、選択的にトリックモードを終了することで完了する。
【００１９】
ユーザがライブのマルチメディア放送を鑑賞中であって、一時停止のトリックモードを選択する場合、一時停止モードが選択されて作動中である旨の通知が提供される。上記機能は、記録及び再生処理に固有の遅延時間があるため、有益である。このため、リアルタイムで放映番組を鑑賞中のユーザが一時停止モードを選択したとき、記録されたビデオソース信号は、一時停止モードが選択された時点でユーザが所望するフレームを表示するのに必要な時間フレームにはない。従って、オンスクリーン通知は、マルチメディア放送が一時停止された箇所である、ユーザが選択したフレームがデータストレージ１０６に格納されて再生及び表示の準備が整うまで、ディスプレイ上に表示されたままであり得る。上記オンスクリーン通知は、ユーザに、一時停止命令が認識されてＰＶＲにより処理中である旨の注意を喚起することができる。データストレージ１０６に記録され、読み出されたビデオソース信号が、ライブのマルチメディア放送が一時停止されたフレームに到達すると、上記通知をディスプレイから取り除き、例えば、「スローモーション」又は「トリック再生」の準備が整ったことを示すメッセージを表示しても良い。従って、プレゼンテーションが一時停止されたイメージフレームを、記録ビデオソース信号を用いて、表示したり、詳しく調べたりすることができる。
【００２０】
判断ブロック２１６とステップ２１８では、ユーザは、データストレージ１０６から得た記録ビデオ画像を鑑賞しつつ、チャンネルを変更することができる。チューナ１０２が、リモートコントロール１１８からプロセッサ１１４を介してチャンネル変更要求を受信すると、チューナはソース信号のチャンネルを、チャンネル変更要求に従って新たなソースに変更することができる。一実施形態によれば、ユーザは、新たなソースをデータストレージ中の現在鑑賞中のビデオプレゼンテーションの位置とは異なる位置に記録しても良い。このようにして、ユーザは新たに記録されたプレゼンテーションを鑑賞する前に、現在のプレゼンテーションの鑑賞を終了することができる。しかし、ユーザは、先の番組を記録しつつ、新たなプレゼンテーションの鑑賞を直ちに開始することもできる。
【００２１】
また別の実施形態によれば、ステップ２２４に示すように、ライブのビデオ信号への置換を行って、表示する前に、プロセッサ１１４は、ビデオソース信号の最も最近記録された部分がストレージ１０６から読み出されるように、記録ビデオ信号の再生を進める、又は加速することができる。従って、再生速度を増加させることで、バッファ遅延を最小限に抑えることができる。
【００２２】
ステップ２２６で、ユーザ通知を提供して、ユーザにビデオソースが記録ビデオ信号からライブのビデオ信号に変更されつつあることを通知することができる。この時点で、プロセッサ１１４は、ステップ２０４に示すように、バッファバイパススイッチ１１２にビデオバッファをバイパスして、ソース信号を表示装置１１６に直接送信するようにさせて、バッファ遅延を回避することができる。
【００２３】
さらに別の実施形態によれば、例えば、コマーシャル等、プレゼンテーション中の望まない部分を早送りするなど、再生速度を選択的に増加させることができる。別の実施形態によれば、再生速度を通常よりも速くすることができる。例えば、選択したフィールド、フレーム、又は画像の組（ＧＯＰｓ：ｇｒｏｕｐｓ  ｏｆ  ｐｉｃｔｕｒｅｓ）を、再生速度を増加させてプログラムの実行時間を短縮させるためにスキップしても良い。さらに、速度を加速して再生している間に、音声もその速度に合わせる方法を適用しても良い。音声を合わせる方法としては、ビデオ再生の速度増加に相関する分だけ、オーディオ再生を加速させる方法がある。オーディオ信号を均等化して、オーディオ速度の増加により生じる周波数シフトを補償しても良い。
【００２４】
判断ブロック２２０及びステップ２２２により、先の記録と新たに記録したソース信号との間で再生の選択ができるが、これはチャンネル変更により生じるものである。上記ＰＶＲトリックモード再生２２２が完了すると、判断ブロック２２０及びステップ２２２に示すように、マルチメディアの再生を、新たに記録したビデオソース信号についてストレージ１０６から読み出して継続することが可能になる。あるいは、ステップ２２４に示すように、先の記録が完了したときに、ストレージ１０６からの再生を、ビデオソース信号の最も最近記録された部分をストレージ１０６から読み出すよう進めても良い。一実施形態によれば、再生をユーザ要求に応じて進めることができる。別の実施形態によれば、再生速度をマルチメディアの通常の再生速度よりも速めることができる。ステップ２２６で、ユーザ通知が提供され、ビデオソースが記録ビデオ信号からライブのビデオ信号に変更されつつあることがユーザに通知することができる。
【００２５】
ステップ２０４で、ビデオソース信号の最も最近記録された部分まで再生を進めた後、記録ビデオソース信号をライブのビデオソース信号の再生に置換することができる。なお、ビデオソース信号の記録は、前進及び置換ステップを通じて継続させても良い。バッファバイパススイッチ１１２は、バッファシステムとマルチメディアプロセッサ１１０をバイパスし、ビデオソース信号をディスプレイ１１６に直接接続することで、ライブのビデオソース信号への置換を実行し得る。バッファされたビデオソース信号に関連して遅延が生じるため、バッファされたものとライブのものとの間の時間的な差により、一般的にビデオソース信号のごく一部分がスキップされる、又は欠けることになる。オンスクリーンメッセージにより、ＰＶＲがライブ信号に切り替わりつつあることと、ビデオソース信号のごく一部分がディスプレイ１１６から欠け得ることをユーザに通知することができるが、欠けている画像はストレージ１０６から獲得し得る。ビデオソース信号のスキップされた部分は、巻き戻しをすることで見ることができる。
【００２６】
判断ブロック２０６、判断ブロック２２８及びステップ２３０を再度参照すると、ユーザからチャンネル変更要求を受信した場合、チューナ１０２はチャンネルを変更し得る。現在のビデオソースが別のビデオソースへと置換され、インターラプトなしに記録される。別のビデオソース信号のデータストレージ１０６への記録は、先のビデオソース信号記録の消去を避けるため、現在のビデオ信号記録が終了した場所から継続しても良い。さらに、別のビデオソース信号をディスプレイ１１６に供給しても良い。
【００２７】
ステップ２２６と２０４を再度参照すると、チャンネル変更要求が受信されたときに、再生用に記録ビデオ信号がストレージ１０６から読み出されている場合、バッファバイパススイッチ１１２により、記録ビデオソース信号から、チューナ１０２より直接得られるライブのビデオソース信号に再生を切り換え得る。本実施形態においては、ビデオソース信号のバッファリングにより生じる遅延時間を有意に軽減できる。特に、ユーザは、別のビデオソース信号がバッファされるのを待つ不都合を味わうことなく、チャンネルを変更することができる。このため、ユーザは、既述した面倒な待機時間を我慢せずに、チャンネル変更をほとんど瞬間的に行うことができる。
【００２８】
既述したように、バッファされたビデオソース信号に関連した遅延により、バッファされたソース信号とライブのソース信号との間での切り替え時に、ビデオソース信号のごく一部がスキップされる。このため、ステップ２２６で、ユーザ通知をディスプレイ１１６上に提供して、ＰＶＲがライブ信号にスイッチバックしつつある旨と、ビデオソース信号のごく一部がスキップされる旨とをユーザに通知する。さらに、ユーザ通知によって、新たに選択されたビデオソースが現在のビデオソースの代わりに記録される旨をユーザに通知することができる。
【００２９】
一実施形態によれば、ユーザは新たに選択したビデオソースを鑑賞しつつ、現在のビデオソースの記録を継続させることができる。このような実施形態においては、チューナ１０２は、複数のソース信号、例えば複数のチャンネルからのソース信号を同時に提供することができなくてはならない。この実施形態においては、チューナは、新たなビデオソースからのソース信号をディスプレイ１１６に供給しつつ、現在のビデオソースからのソース信号をストレージ１０６に送信し得る。
【００３０】
本明細書に記載した例や実施形態は説明のためのものにすぎず、当業者であれば様々な改良や変形が可能であり、それらは本出願の趣旨や範囲に含まれる。本発明は、その趣旨や本質から逸脱することなく、他の多様な形態をとり得る。
【図面の簡単な説明】
【００３１】
【図１】本発明による、チャンネル変更中に放送マルチメディアプログラミングのライブプレゼンテーションを行うための、選択的な記憶装置バイパスを組み込んだパーソナルビデオレコーダのブロック図である。
【図２】本発明による、チャンネル変更中にパーソナルビデオレコーダにおいて選択的に記憶装置をバイパスする方法を示すフローチャートである。
【図１】
2005524299.tif 000003
【図２】
2005524299.tif 000004
【国際調査報告】
2005524299.tif 000005
2005524299.tif 000006